(57)【要約】【課題】浴槽水面に揺らぎなくても反射光等に変化を与えることができて十分なリクラゼーション効果が得られると共に、消費電力を少なくして省エネ化や天井構造等の簡略化が図れる浴室照明装置を提供する。【解決手段】壁もしくは天井に配設されその光源から浴室内部に設置された浴槽の水面に光を照射する浴室照明装置であって、光源が複数のＬＥＤで形成され、該複数のＬＥＤの点灯状態が制御手段によって制御されることを特徴とする。前記複数のＬＥＤは、赤、青、緑色のＬＥＤであり、組となった３色のＬＥＤを複数組所定配列で配置することによりその外形形状が略円形に形成され、また前記制御手段は、ＰＷＭ制御によって複数のＬＥＤの点灯状態を制御する。【選択図】  図２
2004349027.tif 000002
【特許請求の範囲】
【請求項１】
壁もしくは天井に配設されその光源から浴室内部に設置された浴槽の水面に光を照射する浴室照明装置であって、
前記光源が複数のＬＥＤで形成され、該複数のＬＥＤの点灯状態が制御手段によって制御されることを特徴とする浴室照明装置。
【請求項２】
前記複数のＬＥＤは、赤、青、緑色のＬＥＤであることを特徴とする請求項１に記載の浴室照明装置。
【請求項３】
前記制御手段は、ＰＷＭ制御によって複数のＬＥＤの点灯状態を制御することを特徴とする請求項１または２に記載の浴室照明装置。
【請求項４】
前記複数のＬＥＤは、組となった３色のＬＥＤを複数組所定配列で配置することにより、その外形形状が略円形に形成されていることを特徴とする請求項１ないし３のいずれかに記載の浴室照明装置。
【請求項５】
前記複数のＬＥＤは、各色のＬＥＤが直列接続されていることを特徴とする請求項１ないし４のいずれかに記載の浴室照明装置。
【発明の詳細な説明】
【０００１】
【発明の属する技術分野】
本発明は、例えばユニットバスルーム等の浴室の照明装置に係わり、特に、浴室内に幻想的な雰囲気を醸し出すことが可能な浴室照明装置に関する。
【０００２】
【従来の技術】
従来、浴室内に設置される浴槽の水面にスポットライトを照射し、その反射光を浴室の壁や天井に写し出すことにより、浴室内に光による幻想的な雰囲気を醸し出すことが可能な浴室として、例えば特許文献１に開示のものが知られている。この浴室は、例えば天井に配置したスポットライト照明装置に、光源としてハロゲンランプを使用し、このハロゲンランプの光を浴槽水面に照射するようにしたものである。
【０００３】
【特許文献１】
特開２００３−９７０６４号公報
【０００４】
【発明が解決しようとする課題】
しかしながら、このような浴室においては、スポットライト照明装置を一定の明るさと色で点灯させることにより、ハロゲンランプの光を浴槽水面に照射する構成であるため、例えば、浴槽水面に揺らぎがない場合や入浴者が浴槽内であまり動かず浴槽水面に揺らぎが少ない場合に、壁や天井に写し出される反射光の変化（揺らぎの発生）が十分ではなく、反射光が単調となって入浴者に十分なリラクゼーション効果が得られ難いという問題点を有している。また、スポットライト照明装置の光源がハロゲンランプであることから、該ランプによる消費電力が多くなって省エネの面で好ましくなく、またスポットライト照明装置自体の発熱量が多くなって、天井部分の耐熱性をアップさせる必要がある等、天井構造が複雑化し易いという問題点も有している。
【０００５】
本発明は、このような事情に鑑みてなされたもので、その目的は、浴槽水面に揺らぎが少ない場合やない場合でも、反射光等に効率的に変化を与えることができてリラクゼーション効果を向上させることができると共に、消費電力を少なくして省エネ化や天井構造等の簡略化が図れる浴室照明装置を提供することにある。
【０００６】
【課題を解決するための手段】
かかる目的を達成すべく、本発明のうち請求項１に記載の発明は、壁もしくは天井に配設されその光源から浴室内部に設置された浴槽の水面に光を照射する浴室照明装置であって、前記光源が複数のＬＥＤで形成され、該複数のＬＥＤの点灯状態が制御手段によって制御されることを特徴とする。
【０００７】
このように構成することにより、浴室の例えば天井に配設された浴室照明装置の光源としての複数のＬＥＤの光は、浴槽水面に照射されて水面で反射され、この反射光が浴室の壁や天井に写し出される。この時、指向特性の強いＬＥＤの光によって、水面の揺らぎが少ない場合であっても効率的に反射光等に揺らぎを生じさせることができると共に、複数のＬＥＤの点灯状態が制御手段で適宜に制御されることから、例えば水面に揺らぎがない場合でも、制御手段によって反射光等に変化を与えることができて、入浴者へのリラクゼーション効果を向上させることができる。また、光源としてＬＥＤを使用することで、照明装置の消費電力の低減化が図れると共に、発熱が抑えられて設置部位である天井等の構造の簡略化が図れる。
【０００８】
そして、前記複数のＬＥＤは、請求項２に記載の発明のように、赤、青、緑色のＬＥＤであることが好ましい。このように構成することにより、複数のＬＥＤが光の三原色を形成することから、各ＬＥＤの点灯状態の制御で、浴槽水面に全ての色の光を照射できて、浴室内に一層変化に富んだ反射光等が得られる。
【０００９】
また、前記制御手段は、請求項３に記載の発明のように、ＰＷＭ制御によって複数のＬＥＤの点灯状態を制御することが好ましい。このように構成することにより、複数のＬＥＤの点灯状態が制御手段でＰＷＭ制御されることから、各ＬＥＤの光量も調整できて、浴室内に一層変化に富んだ反射光等が得られる。
【００１０】
また、前記複数のＬＥＤは、請求項４に記載の発明のように、組となった３色のＬＥＤを複数組所定配列で配置することにより、その外形形状が略円形に形成されていることが好ましい。このように構成することにより、光の三原色を形成する３個のＬＥＤが組となり、これらが外形形状が円形となるように配置されることから、円形の光源が容易に得られて、浴槽水面に照射光を良好な状態で照射できる。
【００１１】
また、前記複数のＬＥＤは、請求項５に記載の発明のように、各色のＬＥＤが直列接続されていることが好ましい。このように構成することにより、複数のＬＥＤのうち同色のＬＥＤが直列接続されることから、ＬＥＤ点灯用の照明電源の消費電流を少なくして、簡素で安価な電源の使用が可能になると共に、各色の点灯制御で所定色の照明光が容易に得られる。
【００１２】
【発明の実施の形態】
以下、本発明の実施の形態を図面に基づいて詳細に説明する。
図１〜図４は、本発明に係わる浴室照明装置の一実施形態を示し、図１が該照明装置を使用した浴室の概略構成図、図２が浴室照明装置の平面図、図３がその側面図、図４がその回路図である。
【００１３】
図１において、システムバスルームとしての浴室１は、防水パン２と、４枚の壁パネル３ａ〜３ｄ及び例えばドーム型の天井パネル４によって略箱状に形成され、前記防水パン２の壁パネル３ａ側には浴槽５が設置されると共に、この浴槽５の側方の防水パン２上には洗い場６が設けられている。また、洗い場６の壁パネル３ｂ側には、その下部に蒸気等の吹出口が形成されたカウンター７が設けられ、このカウンター７上方の壁パネル３ｂには、水栓９、シャワー１０、ミラー１１、主照明装置１２、収納棚１３等が一体的に組み込まれたミラーパネル８が配設されている。
【００１４】
さらに、浴室１には、浴室照明装置としてのスポットライト照明装置１５が配設されている。このスポットライト照明装置１５は、浴槽５上方の天井パネル４の曲線に沿った方向の対向位置にそれぞれ配置され、図２及び図３に示すように構成されている。すなわち、スポットライト照明装置１５は、略円錐形状で内部に反射板１６ａを有する（もしくは反射面が形成された）照明ケース１６と、この照明ケース１６の底部に配置され光源１７が取り付けられたプリント基板１８と、照明ケース１６の先端開口部に配置された例えば透明なガラス等からなる照射板１９等を有している。
【００１５】
また、前記光源１７は、プリント基板１８上に実装された、光の三原色の色を放つ赤色ＬＥＤ１７ａ（図ではＲ）と、青色ＬＥＤ１７ｂ（図ではＢ）と、緑色ＬＥＤ１７ｃ（図ではＧ）が使用され、この三色のＬＥＤ１７ａ〜１７ｃが一組となって平面視で三角形状に配置され、この一組のＬＥＤ１７ａ〜１７ｃを横方向及び縦方向に所定組連設することにより、その外形形状が平面視で略円形を呈するように形成されている。そして、これらの各色のＬＥＤ１７ａ〜１７ｃは、図４に示すように各色毎に直列接続されて制御手段２０にそれぞれ接続されており、この制御手段２０の制御によって、光源１７から所定色の照射光（照明光）を放つようになっている。
【００１６】
前記制御手段２０は、ＡＣ１００Ｖの商用の交流電源２１に接続されて交流電圧を直流電圧に整流する整流回路２２と、この整流回路２２で整流された直流電圧をパルス電圧に変換すると共にそのパルス幅を制御するＰＷＭ制御回路２３と、このＰＷＭ制御回路２３に接続されたリモコン２４等を有している。ＰＷＭ制御回路２３は、三色のＬＥＤ１７ａ〜１７ｂｃのパルス幅をそれぞれ個別に制御可能に構成されており、例えば内部に設けられたＲＯＭ等の記憶部には複数の点灯パターンが予め記憶されている。そして、後述するリモコン２４からの操作信号に応じて所定の点灯パターンが選択され、所定幅のパルスを各色のＬＥＤ１７ａ〜１７ｃに出力して、各色のＬＥＤ１７ａ〜１７ｃの点灯・消灯を制御したり、その明るさ（光量）をそれぞれ所定に制御するようになっている。
【００１７】
前記リモコン２４は、図１に示すように、浴室１の壁パネル３ａに固定的もしくは移動可能に配置され、スポットライト照明装置１５を点灯もしくは消灯させるスポットライト照明スイッチ、スポットライトの明るさや色及び点灯パターン等を選択する調光釦、スポットライト照明スイッチの点灯時間等を設定するタイマー、浴室１の主照明装置１２を点灯もしくは消灯させる主照明スイッチ等の各種の操作スイッチや操作釦（いずれも図示）が設けられている。なお、主照明装置１２は、浴室１のドア外側の壁パネル３ｃに配置した浴室照明スイッチ２５（図１参照）でも点灯もしくは消灯されるように構成されている。また、リモコン２４と略同一機能を有する図示しない浴室外リモコンを、浴室１のドア外側の壁パネル３ｃに取り付けて、入浴者が浴室１に入る前に操作できるように構成することもできる。
【００１８】
このスポットライト照明装置１５は、入浴者が浴室１内の浴槽５に入浴中に、例えばリモコン２４のスポットライト照明スイッチをオン操作すると、スポットライト照明装置１５の光源１７が所定の点灯パターンで点灯すると共に、主照明装置１２が消灯（もしくは減灯）する。光源１７が点灯すると、その照明光が下方に向けて照射され、これが浴槽５水面で反射されて反射光となり、この反射光が浴室１の壁パネル３ａ〜３ｄや天井パネル４に写し出される。この時、浴槽５の水面が入浴者の動きにより揺らいでいる場合は、この水面の揺らぎに反射光が追従して揺らいだ状態となり、壁パネル３ａ〜３ｄや天井パネル４に写し出される反射光に無限の揺らぎ（変化）が得られることになる。ここで、入浴者があまり動かず浴槽５の水面に揺らぎが少ない場合であっても、指向特性の強いＬＥＤ１７ａ〜１７ｃの光によって壁パネル３ａ〜３ｄや天井パネル４に効率的に揺らぎを生じさせることができる。
【００１９】
また、浴槽５の水面に揺らぎがない場合は、反射光自体に揺らぎ等による変化は得られないものの、制御手段２０によりスポットライト照明装置１５の点灯パターンが制御されてその色や明るさが変化し、例えば時間と共に明るくなったり暗くなったりする。この照射光の変化に追従して反射光も変化することになり、水面に揺らぎがない場合であっても、浴室１の壁パネル３ａ〜３ｄ等に変化状態の反射光が写し出されることになる。
【００２０】
そして、リモコン２４のスポットライト照明スイッチをオフ操作もしくはタイマーで設定された点灯時間が経過すると、スポットライト照明装置１５が消灯すると共に、主照明装置１２が点灯して、浴室１内が通常の照明状態に復帰する。なお、スポットライト照明装置１５の点灯・消灯は、主照明装置１２と関連付けられるが、浴室１に設置される各種付帯器具（例えば音響再生装置や蒸気発生装置等）と関連付けて行うことも勿論可能である。
【００２１】
このように、上記実施形態の浴室１のスポットライト照明装置１５にあっては、浴槽５の水面に光を照射しその反射光を壁パネル３ａ〜３ｄ等に写し出すスポットライト照明装置１５の光源１７が、複数のＬＥＤ１７ａ〜１７ｃで形成され、このＬＥＤ１７ａ〜１７ｃの点灯状態が制御手段２０によって制御されるため、浴槽５の水面に揺らぎが少ない場合やない場合でも、制御手段２０の制御で照射光やその反射光に効率的に変化を与えることができる。
【００２２】
また、スポットライト照明装置１５の光源１７が複数の三色のＬＥＤ１７ａ〜１７ｃで形成されその照射光が調光可能に形成されているため、光の三原色からなるＬＥＤ１７ａ〜１７ｃの点灯状態を制御することにより全ての色の照射光を得ることができると共に、前記リモコン２４の調光釦の操作等により所定明るさの照射光が容易に得られ、これが水面で反射されて壁パネル３ａ〜３ｄ等に写し出される。これにより、浴室１内に一層変化に富んだ反射光を得ることができ、特に光源１７として三色一組のＬＥＤ１７ａ〜１７ｃを多数組配置すると共に、三色のＬＥＤ１７ａ〜１７ｃに供給されるパルスの幅が制御手段２０のＰＷＭ制御回路２３でＰＷＭ制御されることから、照射光の色と光量を略無限に変化させることができて、反射光に一層の変化が得られることになる。
【００２３】
また、制御手段２０に複数の点灯パターンが予め記憶され、これがリモコン２４のスポットライト照明スイッチのオン操作で自動的に選択されて、スポットライト照明装置１５が所定の色や所定の明るさで点灯するため、点灯パターンを複数設定することで照射光や反射光に入浴者の好みに応じた変化状態を容易に得ることができる。これらにより、浴室１内の照射光や反射光を入浴者が入浴中に視認することで、湯による身体の温まりと同時に幻想的な光によるリラクゼーション効果が得られて、従来の単調なスポットライト照明装置に比較して、一層快適な入浴が可能になる。
【００２４】
また、スポットライト照明装置１５の光源１７としてＬＥＤ１７ａ〜１７ｃが使用されているため、従来のハロゲンランプに比較して消費電力を少なくすることができて、スポットライト照明装置１５自体の省エネ化を図ることができると共に、ＬＥＤ１７ａ〜１７ｃ自体の発熱が極めて小さく、スポットライト照明装置１５が高温になることが抑えられ、天井パネル４のスポットライト照明装置１５設置部位の耐熱構造が不要になったり簡略化することができて、天井パネル４の構造の簡素化を図ることが可能になる。これにより、スポットライト照明装置１５をユニットバスルーム等の浴室１に好適に設置できる。
【００２５】
さらに、三色一組となったＬＥＤ１７ａ〜１７ｃが複数組所定配列で配置されることにより、その外形形状が略円形に形成されているため、従来のハロゲンランプと略同一平面形状の光源１７を容易に得ることができ、浴槽５の水面に断面円形の照射光を照射して、２個のスポットライト照明装置１５の使用により浴槽５の水面の略全域をカバーすることができる。これにより、浴室１内の壁パネル３ａ〜３ｄや天井パネル４の略全域に反射光を写し出すことができて、浴室１内に光による一層幻想的な雰囲気を醸し出すことが可能になる。
【００２６】
また、制御手段２０に点灯パターンが予め記憶設定され、これがリモコン２４の操作で選択されてスポットライト照明装置１５が自動的に点灯等するため、該照明装置１５の操作を容易に行うことができて、操作性に優れたスポットライト照明装置１５を得ることができる。また、スポットライト照明装置１５と主照明装置１２が関連付けられて制御されるため、スポットライト照明装置１５の点灯時に主照明装置１２を自動的に消灯したり減灯でき、浴室１に配設される各種照明装置の使い勝手を一層向上させることが可能になる。
【００２７】
またさらに、スポットライト照明装置１５の光源１７としての各色のＬＥＤ１７ａ〜１７ｃが直列接続されているため、例えば並列接続する場合に比較して、ＬＥＤ１７ａ〜１７ｃを点灯させるための電流値を小さくすることができ、電源として商用の交流電源２１の使用が可能になると共に、電流値が小さいため変圧器等の構成を簡略化できて、スポットライト照明装置１５を点灯させるための電源を安価に構成できる。また、複数のＬＥＤ１７ａ〜１７ｃがプリント基板１７に実装されるため、光源１７を安価かつ安定して製造でき、これらのことから、前述した省エネ化や天井パネル等の構造の簡素化と併せ、安価なスポットライト照明装置１５を得ることが可能になる。
【００２８】
なお、上記実施形態においては、制御手段２０に点灯パターンを予め記憶させ、リモコン２４の操作で所定の点灯パターンが選択された場合に、スポットライト照明装置１５の点灯状態を変化させることで、湯に揺らぎがない時でも反射光等に変化を与えるように構成したが、本発明はこれに限定されず、例えば湯の揺らぎを適宜のセンサで検出し、その検出結果に基づいてスポットライト照明装置１５の点灯状態を変化させるようにしても良い。
【００２９】
また、上記実施形態においては、天井パネル４の曲線方向の両側にスポットライト照明装置１５をそれぞれ設置したが、例えば天井パネル４の曲線方向の一方側や中央に１個のスポットライト照明装置１５を設置することもできるし、天井パネル４に限らず適宜の壁パネル３ａ〜３ｄの上部に設置することもできる。さらに、上記実施形態における、スポットライト照明装置１５のＬＥＤの使用個数、配列状態、接続方法あるいは制御手段２０の構成等も一例であって、本発明に係わる各発明の要旨を逸脱しない範囲において適宜に変更することができる。
【００３０】
【発明の効果】
以上詳述したように、請求項１に記載の発明によれば、壁や天井に配設され浴槽水面に光を照射する照明装置の光源が複数の指向特性の強いＬＥＤで形成され、その点灯状態が制御手段で制御されるため、例えば水面の揺らぎが少ない場合やない場合でも、制御手段によって反射光等に効率的に変化を与えることができて、入浴者へのリラクゼーション効果を向上させることができると共に、光源としてのＬＥＤの使用で照明装置の消費電力の低減化が図れたり、設置部位の発熱等が抑えられてその構造の簡略化を図ることができる。
【００３１】
また、請求項２に記載の発明によれば、請求項１に記載の発明の効果に加え、複数のＬＥＤが赤、青、緑色の光の三原色を形成するため、各ＬＥＤの点灯状態の制御により、浴槽水面に全ての色の光を照射できて、浴室内に一層変化に富んだ反射光等を得ることができる。
【００３２】
また、請求項３に記載の発明によれば、請求項１または２に記載の発明の効果に加え、複数のＬＥＤの点灯状態が制御手段によりＰＷＭ制御されるため、各ＬＥＤの光量も調整することができて、浴室内に一層変化に富んだ反射光等を得ることができる。
【００３３】
また、請求項４に記載の発明によれば、請求項１ないし３に記載の発明の効果に加え、光の三原色を形成する３個のＬＥＤが組となり、これが外形形状が円形となるように配置されるため、円形の光源を容易に得ることができて、浴槽水面に所定形状の照射光を良好な状態で照射することができる。
【００３４】
また、請求項５に記載の発明によれば、請求項１ないし４に記載の発明の効果に加え、各色のＬＥＤが直列接続されているため、ＬＥＤ点灯用の照明電源の消費電流を少なくして、簡素で安価な電源を使用できると共に、所定色の照明光が容易に得られる等の効果を奏する。
【図面の簡単な説明】
【図１】本発明に係わる浴室照明装置を使用した浴室の概略構成図
【図２】同浴室照明装置の平面図
【図３】同その側面図
【図４】同その回路図
【符号の説明】
１・・・・・・・・・・浴室
３ａ〜３ｄ・・・・・・壁パネル
４・・・・・・・・・・天井パネル
５・・・・・・・・・・浴槽
１２・・・・・・・・・主照明装置
１５・・・・・・・・・スポットライト照明装置
１６・・・・・・・・・照明ケース
１６ａ・・・・・・・・反射板
１７・・・・・・・・・光源
１７ａ・・・・・・・・赤色ＬＥＤ
１７ｂ・・・・・・・・青色ＬＥＤ
１７ｃ・・・・・・・・緑色ＬＥＤ
１８・・・・・・・・・プリント基板
１９・・・・・・・・・照射板
２０・・・・・・・・・制御手段
２１・・・・・・・・・交流電源
２２・・・・・・・・・整流回路
２３・・・・・・・・・ＰＷＭ制御回路
２４・・・・・・・・・リモコン
【図１】
2004349027.tif 000003
【図２】
2004349027.tif 000004
【図３】
2004349027.tif 000005
【図４】
2004349027.tif 000006